Podtech/llm-jp-corpus-v4-ja_patent huggingface dataset:
(57)【要約】      （修正有）【課題】掃除用卓上ブラシと定規を別々にせず，無駄に場所を取らず使いがっての良い定規を提供する。【解決手段】卓上ブラシ２と定規１を一緒にした事で，それを一本持っていれば，デスク上の消しゴムのカスやパソコン上のホコリ等をすぐに清掃出来，持ち手も握り易く，そのまま定規として使え、更にブラシを髪やたてがみに例えて人や動物の顔などを定規に描き使用者の興味をひくようにした。【選択図】図１
2011251522.tif 000002
【特許請求の範囲】
【請求項１】
ブラシの付いた定規
【発明の詳細な説明】
【背景技術】
【００１】従来，掃除用卓上ブラシと定規は別々で，無駄に場所を取っていたりと，使いがってが悪かった．
【課題を解決する手段】
【００２】そこで卓上ブラシと定規を一緒にした．
【発明の効果】
【００３】よって本発明は，卓上ブラシと定規を一緒にした事でそれを１本持っていれば，デスク上の消しゴムのカスやパソコン上のホコリなどをすぐに清掃出来，持ち手も握り易く，そのまま定規としても使える．
又ブラシを髪やたてがみに例え，人や動物の顔などを定規に描けば，キャラクタ−としてもおしゃれで可愛い．
【発明を実施するための最良の形態】
【００４】本発明は図に示す通り，定規１にブラシ２を設け，イラスト３を描いた．
【図面の簡単な説明】
【００５】
【図１】全体図
【符号の説明】
【００６】１  定規    ２  ブラシ    ３  イラスト
【図１】
2011251522.tif 000003
(57)【要約】【課題】御札や破魔矢を部屋に飾る際、立て掛けたり、壁に直接張り付けたりと、飾り場所や収納に困難が生じていた。また、従来の収納物は御札と破魔矢を個別でなければ収納できなかった。この課題を改善するため、本発明により、御札と破魔矢を一か所に収納できる額縁を提供しようとする。【解決手段】額縁本体１の御札入れ２に御札を入れることによって、御札の立て掛け時の転倒を防ぎ、更に、保存状態も良好を維持できるのである。また、額縁側面に、破魔矢を収納する筒状の破魔矢入れ３を装着することによって、立て掛け時の転倒を防げるのである。更に、従来は個別に飾っていたものが、本発明により、一か所に飾れるのである。また、従来の額縁同様、立て掛け具６や掛け穴４を使用し、飾ることができるのである。【選択図】図１
2011251100.tif 000002
【特許請求の範囲】
【請求項１】
額縁本体を、御札が縦に二枚入る大きさに区切る。
【請求項２】
額縁側面に、破魔矢を収納する筒状の入れ物を装着。
【請求項３】
御札と破魔矢が一か所に収納できる額縁。
【請求項４】
立て掛け具や掛け穴を使用し、飾ることができる。
【発明の詳細な説明】
【技術分野】
【０００１】この発明は、御札や破魔矢の収納額縁に関するものである。
【背景技術】
【０００２】従来は、御札や破魔矢を個別に収納する物があったが、一か所に収納する物がなかった。
【先行技術文献】
【特許文献】
【０００３】公開特許公報（Ａ）特許公開２０００−２７２２９８
【発明の概要】
【発明が解決しようとする課題】
【０００４】御札や破魔矢を部屋に飾る際、立て掛けたり、壁に直接張り付けたりと、飾り場所や収納に困難が生じ、従来の収納物も、御札と破魔矢を個別でなければ収納できなかった。本発明は、この課題を解消するためになされたものである。
【課題を解決するための手段】
【０００５】額縁本体１の御札入れ２に御札を入れ、側面に破魔矢を収納する筒状の破魔矢入れ３を装着する事によって、一か所に収納できるのである。
【発明の効果】
【０００６】御札が額縁本体１の御札入れ２に収納されることによって、立て掛け時の転倒を防ぎ、更に、保存状態も良好を維持できるのである。破魔矢も同様に、立て掛け時の転倒を防げるのである。更に、従来は個別に飾っていたものが、本発明により、一か所に飾れるのである。また、従来の額縁同様、立て掛け具６や掛け穴４を使用し、飾ることができるのである。
【図面の簡単な説明】
【０００７】
【図１】本発明の正面図である。
【図２】本発明の裏面図である。
【図３】本発明の斜視図である。
【発明を実施するための形態】
【０００８】以下、本発明の実施の形態について説明する。
（イ）．額縁本体１に御札が縦に二枚入るように、御札入れ２で区切る。
（ロ）．額縁本体１の側面に、破魔矢入れ３を設ける。
（ハ）．額縁裏面に、掛け穴４、留め具５、立て掛け具６を設ける。
【符号の説明】
【０００９】１額縁本体
２御札入れ
３破魔矢入れ
４掛け穴
５留め具
６立て掛け具
【図１】
2011251100.tif 000003
【図２】
2011251100.tif 000004
【図３】
2011251100.tif 000005
(57)【要約】      （修正有）【課題】片手で鍋の蓋を持ちながらでも、片手で味噌溶きが衛生的に素早く鍋の中で、簡単にできる味噌溶き器を提供する。【解決手段】本体Ａ、を片手で持ち網状スプーン３、で味噌入れ容器よりすくい入れた味噌を調理鍋の中で、攪拌部２、を作動する。【選択図】図１
2011251096.tif 000002
【特許請求の範囲】
【請求項１】
片手で、３網状スプーンに取り入れた味噌を鍋の中で片手で、衛生的に素早く味噌溶きができる、味噌溶き器。
【発明の詳細な説明】
【技術分野】
【０００１】  本発明は味噌溶きをバネ、や樹脂の反発力、弾性又は電動で効率よく誰でも、片手で簡単に衛生的に素早く味噌溶きができる味噌溶き器に関する。
【背景技術】
【０００２】  我が国では従来より必ず味噌汁を食する習慣が有る、其の時素早く味噌容器より味噌を取り出し鍋の中で箸と味噌漉し笊などで両手で味噌を溶く、煩わしい手間を要する為に幾つかの機器も考案されている、以下の文献にあるように、、（例えば、特許文献参照）【０００３】
【特許文献１】  特開平２００８−１９４４３６
【特許文献２】  特開平２００７−１４４０６
【特許文献３】  特開平２００６−２６３０５
【特許文献４】  特開平２００５−２２４５７８
【発明の概要】
【発明が解決しょうとする課題】
【０００４】  上記文献を見ても従来の方法と差ほど変わるところが無く、其れを使用する事によりより複雑になり手間がかかる。製品化するにはコストアップにつながるような問題点が多いものであった。
【課題を解決するための手段】
【０００５】  本発明は上記するような技術がもつ不便や欠点を解消するために、第一発明においては網状スプーンで味噌容器よりすくい入れた味噌をバネ、又は樹脂の反発力で、ギヤーを、回転させ、ギヤー受け部を回転する、ギヤーに接続された回転軸を回転させる事に依り網状スプーン内にある味噌攪拌部を、左右に移動する事により味噌を溶き攪拌する事ができる、片手で簡単に味噌溶ができる味噌溶器とする。又第二発明は、第一発明の動力がバネの弾性により片手で味噌溶の出来る機構であったが、其のバネによる力を樹脂が持つ弾性に置き換えるものである、此の方法では機構を簡素化し、部品を省き低コスト化できる、以上により誰でも片手で衛生的に素早く味噌溶きができる、味噌溶器。
【発明の効果】
【０００６】  本発明による味噌溶き器を使用することにより、誰でも片手で衛生的に、鍋の中で簡単に素早く味噌溶きができる。
【図面の簡単な説明】
【０００７】
【図１】この発明の第１、Ａの実施形態を示す斜視図である。
【図２】この発明の第２、Ｂの実施形態を示す斜視図である。
【図３】この発明の第３、Ｃの実施形態を示す斜視図である。
【図４】この発明の第４、Ｄの実施形態を示す斜視図である。
【発明を実施するための形態】
【０００８】  本発明の第１、Ａの実施形態を、図１に示す。
味噌溶き器本体Ａ、は樹脂、金属を問わない、６、握り手を持ち３、網状スプーン内に味噌容器より味噌をすくい入れ、それを鍋の中で５、支軸に支えられ８、バネを握り手に力を込め握りしめることにより９、ギャー受け部の力を７、ギヤーに伝え、７、ギヤーが回転する、其の回転を４、回転軸を介し、１、軸受けに支えられる２、攪拌部を３、網状スプーン内の２、攪拌部を左右に移動運動をさせることにより中の味噌をより早く衛生的に片手で溶くことができる。
【発明の異なる実施形態】
【０００９】  次に、図２、Ｂ  図３、Ｃ  図４、Ｄに示す本発明の異なる実施形態につき説明する。なお以上の、本発明の異なる実施形態の説明に当て、前記本発明の、図１、Ａの実施形態と同一構成部分には同一符号を付し重複する説明を省略する。
【００１０】図２、Ｂ，による実施形態は、８、バネを使用せず６、握り手部に１１、に弾性の強い樹脂を使用する事により樹脂の反発力で、バネを使わず構造を簡素化し、コスト省くものである。使用上の機能、効果は図１、Ａによるものと同一である。
【００１１】図３、Ｃによる実施形態は、デザインを一新して相対的に構造を簡素にし、６、握り手を２０、棒状にまとめ握りやすくし、１８、バネ格納部内に納める８、バネを１９、バネ押し体を拇指で押すだけで２、攪拌部を作動し味噌溶きが簡単にできる。
【００１２】図４、Ｄによる実施形態は、６、握り手部内に１６、モーターと、１４、電池蓋より出し入れする１７、電池を内装し、１６、モータの動力で１５、モーター回転軸を介し２、攪伴部を作動する電動機構により味噌溶き機能を実現できる。
【実施形態の効果】
【００１３】図１、Ａ、  図２、Ｂ、  図３、Ｃ、  図４、Ｄ、による実施形態により、全て片手で誰でも簡単に、衛生的に素早く味噌溶きができる機能、効果を発揮する。
【符号の説明】Ａ、  Ｂ、  Ｃ、  Ｄ、  味噌溶き器
１、軸受け          ２、攪拌部
３、網状スプーン    ４、回転軸
５、支軸            ６、握り手
７、ギヤー          ８、バネ
９、ギヤー受け部    １０、軸受け部
１１、樹脂弾性体    １２、バネ押し体
１３、スイッチ      １４、電池出し入れ蓋
１５、モーター回転軸  １６、モーター
１７、電池          １８、バネ格納部
１９、バネ押し体    ２０、握り手
【図１】
2011251096.tif 000003
【図２】
2011251096.tif 000004
【図３】
2011251096.tif 000005
【図４】
2011251096.tif 000006
(57)【要約】      （修正有）【課題】食器やグラスなどを洗うときに使うポケット付きネットスポンジを提供する。【解決手段】スポンジ１にネット２をかぶせ、その上にポケット３を設けることにより、ポケット３に指を入れることですべって食器をグラスを落とすことなく、スポンジ１を手で持たなくても良いので指が少し変形している人もポケット３に指を入れて動かせば自分で洗うことができ、茶碗の裏や皿の裏側を洗うときは隅々まで良く洗え、細かいネット２にすれば長く伸ばしている爪の保護にもなる。【選択図】図２
2011251092.tif 000002
【特許請求の範囲】
【請求項１】
所定の形状のスポンジをネットに封入し、ネットの一面にポケットを設けたことが特徴のポケット付きネットスポンジ。
【発明の詳細な説明】
【技術分野】
【０００１】  本発明は、台所で食器やグラスなどを洗うときに使うポケット付きネットスポンジに関するものである。
【背景技術】
【０００２】  従来、台所で食器やグラスを洗うとき、スポンジを手で持ちながら、食器やグラスを洗っていた。
【発明の概要】
【発明が解決しようとする課題】
【０００３】  そのために、次のような問題点がある。
（イ）台所で食器やグラスなどを洗っているとき、スポンジがすべって外れ、食器やグラ    スなどを落とし割ることがあった。
（ロ）病気のため、指が変形している人は、スポンジを持って洗うことが不可能だった。
本発明は以上の問題点を解決するものである。
【課題を解決するための手段】
【０００４】  所定の形状のスポンジ（１）をネット（２）に封入し、ネット（２）の一面にポケット（３）を設けたことを特徴とするポケット付きネットスポンジ。
【発明の効果】
【０００５】  従来、不可能とされていたネットスポンジにポケットを付けることにより、
（イ）ポケットに指を入れると安定感があり、すべって食器やグラスを落とすこともなく    なった。
（ロ）スポンジを手で持たなくても良いので指が少し変形している人も、ポケットに指を    入れて動かせば自分で洗うことができる。
（ハ）ネットの脇は縫いっぱなしなので、お茶碗の裏やお皿の裏側を洗うときは隅々まで    良く洗える。
（ニ）細かいネットにすれば長く伸ばしている爪の保護にもなる。
【図面の簡単な説明】
【０００６】
【図１】  本発明の斜視図である。
【図２】  本発明の使用状態を示した斜視図である。
【発明を実施するための形態】
【０００７】  以下、本発明の実施の形態について説明する。
（イ）スポンジ（１）にネット（２）を設ける。
（ロ）ネット（２）を設けた上にポケット（３）を設ける。
本発明は以下のような構造である。
本発明を使用するときは、前後にも筒にすることも可能なポケット（３）に指を入れて使用する。
ポケットに指を入れると、食器やグラスなどを洗うとき、安定感があり、すべって食器やグラスを落とすこともない。
スポンジを手で持たなくても良いので指が少し変形している人も、ポケットに指を入れて動かせば自分で洗うことができる。
ネットの脇は縫いっぱなしなので、お茶碗の裏やお皿の裏側を洗うときは隅々まで良く洗える。
細かいネットにすれば長く伸ばしている爪の保護にもなる。
【符号の説明】
【０００８】  １  スポンジ
２  ネット
３  ポケット
【図１】
2011251092.tif 000003
【図２】
2011251092.tif 000004
(57)【要約】【課題】本発明は、慢性腰痛（背中）の痛みを緩和するものである。【解決手段】健康断熱マットを畳・床などフラットな場所に敷き、掛け布団を掛けて就寝する。尚、寒い日には「あんかポケット」に電気敷毛布などを入れ低温ヤケド防止の為、毛布などを上に掛けて対処する。【選択図】図１
2011251093.tif 000002
【特許請求の範囲】
【請求項１】
へこみが少なく断熱力のある、マット
【請求項２】
マットに「あんかポケット」の取り付け
【発明の詳細な説明】
【技術分野】
【０００１】慢性腰痛（背中）に関するものである。
【背景技術】
【０００２】現在まで、いろいろな寝具を使用しても腰痛が改善しない。
【先行技術文献】
【特許文献】
【０００３】
【特許文献１】特開平１０−２３９４７
【発明の概要】
【発明が解決しようとする課題】
【０００４】慢性の腰痛を緩和しようとするものである。
【課題を解決するための手段】
【０００５】健康断熱マットにあんかポケットをもうける。
【発明の効果】
【０００６】就寝時、体の沈み込が少ないため寝返りも簡単にでき、腰・背中に不自然な力が掛らず良好である。
【図面の簡単な説明】
【０００７】
【図１】健康断熱マットの全体図
【発明を実施するための形態】
【０００８】へこみの少ない健康断熱マットに冬季対策として、あんかポケットをもうけたもの。
【符号の説明】
【０００９】１、健康断熱マット
２、あんかポケット
【図１】
2011251093.tif 000003
(57)【要約】      （修正有）【課題】従来落としきれなかった垢や背中などの垢を容易に落とすことが出来、体全体が軽くなったような気持ちにさせ、垢すりによる満足感と清々しさを与え、さらに肌も丈夫になり、健康面にも良く、両手で垢すりができ、時間の短縮に繋がる垢すり具を提供する。【解決手段】一対の鍋つかみ状手袋１の双方の裏表面に硬さの異なるブラシ２を施し、背中の垢すりとして帯状丸ブラシ３に紐４を取り付け、双方の手袋１と繋げ紐付つき手袋状にし、双方の手袋１裏表面は、色分けにより硬軟の識別ができる様にした垢すり具。【選択図】図１
2011251098.tif 000002
【特許請求の範囲】
【請求項１】
一対の鍋つかみ用手袋の双方の裏表面に硬さの異なるブラシを施し、背中の垢すりとして帯状丸ブラシに紐を取り付け、双方の手袋と繋げ紐つき手袋状にし、双方の手袋裏表面には色分けにより容易に硬軟の識別ができるようにした垢すり具。
【発明の詳細な説明】
【技術分野】
【０００１】  本発明は、風呂場における垢すり具に関するものである。
【背景技術】
【０００２】  従来、体の汚れを落とすにはタオルなどで垢すりをしていた。
【発明の概要】
【発明が解決しようとする課題】
【０００３】  体に生じた垢を丹念に垢すりをしたつもりでも現在広く使用されている垢すりタオルなどではよく落とせず、肌への刺激にも物足りなさを感じさせ、片手による垢すりのため時間もかかり、無駄も多かった。
本発明品は以上の問題点を解決するためになされたものである。
【課題を解決するための手段】
【０００４】  一対の指先のない鍋つかみ用手袋の双方の裏表面に硬さの異なるブラシを施し、裏表両面を使用可能とし、さらに背中の垢すりとして帯状の丸ブラシを設け双方の手袋と紐で繋ぎ、双方の手袋裏表面には色分けにより容易に硬軟の識別ができるようにする。
以上の構成となる垢すり具。
【発明の効果】
【０００５】  従来落としきれなかった垢や背中などの垢なども本発明により容易に落とすことができ、体全体が軽くなったような気持ちにさせ、垢すりによる満足感と清々しさを与え、さらにブラシでこするので肌も丈夫になり健康面にも良く、両手で垢すりができるので時間の短縮にも繋がり、低温の日などは寒さから早々に逃れられ、早く目的を達成させることができる。
【図面の簡単な説明】
【０００６】
【図１】  本発明の斜視図
【発明を実施するための形態】
【０００７】  以下、本発明の実施の形態を説明する。
（イ）手袋（１）の裏表面にそれぞれに硬さの異なるブラシ（２）を設け、水抜き穴（５）（６）を設け、手袋（１）に帯状丸ブラシ（３）と紐（４）を連結させる。
本発明は以上のような構造である。
本発明を使用する時は、色分けした硬軟があるので、好みに応じて硬いの面、軟らかい面を使用する
【符号の説明】
【０００８】（１）手袋
（２）ブラシ
（３）帯状丸ブラシ
（４）紐
（５）水抜き穴
（６）水抜き穴
【図１】
2011251098.tif 000003
(57)【要約】【課題】リフティング用サッカーボールに振動センサーと超小型送信機を内蔵する事により、受信側で、正確にリフティング回数をカウントできる。【解決手段】リフティング用サッカーボール１に振動センサーと超小型送信機２を内蔵する事により、ブロックダイヤグラムに示された回路構成で、リフティング回数を正確にカウントでき、練習意欲を向上させる事が可能となるリフティング用サッカーボール。【選択図】図１
2011251091.tif 000002
【特許請求の範囲】
【請求項１】
リフティングを練習する為にサッカーボールの中に回数を数える為のセンサーとワイヤレスリモートコントロール回路を内蔵して、客観的にリフティング回数を数える事が可能である事を特徴とするリフティング用サッカーボール。
【請求項２】
サッカーボールは１台ごとに異なるＩＤを持ち、受信機側は登録されたＩＤを持つサッカーボールのみを認識する構造を特徴とするリフティング用サッカーボール。
【発明の詳細な説明】
【技術分野】
【０００１】  本発明はサッカーにおけるリフティングの練習において、自動的にカウントが可能で、練習意欲を向上させる事ができるツールに関するものである。
【背景技術】
【０００２】  従来、リフティングを練習する時、回数を数える手段は自分で数えるか他の人に数えてもらうか２通りの方法しか存在しなかった。【０００３】  つまり、客観的にリフティング回数を数える方法がないので、リフティングそのものに集中できないとか、自己申告なので、回数の間違いも多くあった。【０００４】  子供達がサッカーを始める時、必ずリフティングをやらされるわけであるが、子供達はゲーム性を持たせ、競争心を引き出して上げた方が上達が早い事は、周知の事実である。従来の方法では、ゲーム性を持たせ、競争心を引き出す事に困難であった。
【発明の概要】
【発明が解決しようとする課題】
【０００５】  解決しようとする問題点はリフティング回数が客観的にカウントできない点である。
【課題を解決するための手段】
【０００６】  本発明はサッカーボールの中に、回数を数える為のセンサーとワイヤレスリモートコントロールシステムをコンパクトに内蔵する事を特徴とし、外部の受信機でカウントを表示するものである。
【発明の効果】
【０００７】  本発明により、客観的にリフティング回数が数えられ、受信側である回数に達するとＬＥＤが点滅したり、音声合成ＬＳＩを組み込んでゲーム性を持たせる事等が可能で、リフティングが楽しくなりその相乗効果によりサッカーが上達する。
【図面の簡単な説明】
【０００８】
【図１】振動センサーと超小型送信機を内蔵したリフティング用サッカーボールの図面である。（実施例１）
【図２】装置全体のブロックダイヤグラムの説明図である。（実施例２）
【発明を実施するための形態】
【０００９】  図１はリフティング用サッカーボール１に振動センサーと超小型送信機を内蔵した実施例である。
【００１０】  図２は、送信機（ボール側）と受信機（カウント側）を構成するブロックダイヤグラムである。
【産業上の利用可能性】
【００１１】  リフティング用サッカーボールに振動センサーと超小型送信機を埋め込む事により、客観的にリフティング回数を数える事ができ、サッカー練習が楽しくなり、サッカーの上達が速くなる。
【符号の説明】
【００１２】１．  リフティング用サッカーボール
２．  振動センサーと超小型送信機
【図１】
2011251091.tif 000003
【図２】
2011251091.tif 000004
(57)【要約】【解決手段】  水平軸周りに回転する網状の回転ドラム２と、当該回転ドラム２の外側からその内部の被乾燥物に向かって遠赤外線を放射する遠赤外線ヒーター５と、前記回転ドラム２のほゞ回転中心に沿って配置された遠赤外線ヒーター７と、当該遠赤外線ヒーター７を取り巻いて前記回転ドラム２と共に回転する網状の保護ドラム６とよりなる。【効果】  網状の回転ドラム２内に被乾燥物を収容し、当該回転ドラム２を回転しながら、その回転ドラム２の外方と内部との少なくとも二か所から遠赤外線を照射するので、乾燥効率をより高めることができる。【選択図】          図１
2011251022.tif 000002
【特許請求の範囲】
【請求項１】
水平軸周りに回転する網状の回転ドラム（２）と、当該回転ドラム（２）の外側からその内部の被乾燥物に向かって遠赤外線を放射する遠赤外線ヒーター（５）と、前記回転ドラム（２）のほゞ回転中心に沿って配置された遠赤外線ヒーター（７）と、当該遠赤外線ヒーター（７）を取り巻いて前記回転ドラム（２）と共に回転する網状の保護ドラム（６）とよりなることを特徴とする、洗濯乾燥機
【発明の詳細な説明】
【技術分野】
【０００１】
本発明はクリーニング工場や一般家庭において使用する、回転式の洗濯乾燥機に関するものである。
【背景技術】
【０００２】
従来回転式の洗濯乾燥機は種々のものが提案されており、その中には遠赤外線ヒーターを使用したものも知られている。例えば特開平６−７１０９３号公報に記載されたものは、回転ドラム内に被乾燥物を収容して回転させ、その回転軸の方向から遠赤外線ヒーターにより被乾燥物を加熱するものである。
【０００３】
しかしながらこのものは、回転ドラム内の被乾燥物の一方向からのみ遠赤外線を照射するので、回転ドラム内の被乾燥物全体に照射することが困難である。特に被乾燥物は回転ドラムの下部に滞留することが多いが、回転ドラムの軸方向からの照射では、その一部のみしか乾燥に寄与しない。
【先行技術文献】
【特許文献】
【０００４】
【特許文献１】特開平６−７１０９３号公報
【発明の概要】
【発明が解決しようとする課題】
【０００５】
本発明はかかる事情に鑑みなされたものであって、水平軸周りに回転する回転式の洗濯乾燥機において、その中心軸付近にも遠赤外線ヒーターを設け、より乾燥効率を高めることを目的とするものである。
【課題を解決するための手段】
【０００６】
而して本発明は、水平軸周りに回転する網状の回転ドラムと、当該回転ドラムの外側からその内部の被乾燥物に向かって遠赤外線を放射する遠赤外線ヒーターと、前記回転ドラムのほゞ回転中心に沿って配置された遠赤外線ヒーターと、当該遠赤外線ヒーターを取り巻いて前記回転ドラムと共に回転する網状の保護ドラムとよりなることを特徴とするものである。
【発明の効果】
【０００７】
本発明によれば、網状の回転ドラム内に被乾燥物を収容し、当該回転ドラムを回転しながら、その回転ドラムの外方と内部との少なくとも二か所から遠赤外線を照射するので、乾燥効率をより高めることができる。
【図面の簡単な説明】
【０００８】
【図１】本発明の洗濯乾燥機の中央縦断面図
【図２】本発明の洗濯乾燥機の横断面図
【発明を実施するための形態】
【０００９】
以下本発明を図面に基づいて説明する。図１及び図２は本発明の洗濯乾燥機を示すものであって、外殻体１の中に水平の回転軸周りに回転する回転ドラム２が設けられており、当該回転ドラム２は網状の材料よりなっている。なお回転ドラム２の材質としては、文字通り網であってもよいが、パンチングメタルなどの大きな透孔を多数穿設したものであってもよい。
【００１０】
この回転ドラム２は、モーター３により伝動ベルト４を介して駆動されており、当該回転ドラム２の内面には、内部の被乾燥物を効率よく撹拌するために凹凸８を設けるのが好ましい。
【００１１】
そしてその回転ドラム２の両側には、外殻体１の内面に取り付けられた遠赤外線ヒーター５が設けられており、当該遠赤外線ヒーター５から照射される遠赤外線が、回転ドラム２内の被乾燥物に照射されるようになっている。
【００１２】
そして本発明においては、前記回転ドラム２のほゞ回転中心に沿って、これも網状の素材よりなる前記回転ドラム２よりも小径の保護ドラム６が設けられ、回転ドラム２と共に回転するようになっている。そしてその保護ドラム６の中心軸に沿って、棒状の遠赤外線ヒーター７が設けられている。
【００１３】
本発明を使用するには回転ドラム２内に被乾燥物を収容し、モーター３を駆動して回転ドラム２を回転させると共に、遠赤外線ヒーター５及び遠赤外線ヒーター７に通電して遠赤外線を発生させる。
【００１４】
これにより被乾燥物は回転ドラム２内において撹拌されながら、外方から遠赤外線ヒーター５により遠赤外線を照射されると共に、回転ドラム２の中心部からも遠赤外線ヒーター７による遠赤外線の照射を受け、効率よく乾燥される。
【００１５】
このとき回転ドラム２の内面に凹凸８を形成することにより、当該凹凸８に引っかかった被乾燥物が上方に持ちあげられ、そこから落下することにより、効率よく撹拌され乾燥の効率も向上する。
【００１６】
また保護ドラム６上に落下した被乾燥物は保護ドラム６に引っかかることもあるが、保護ドラム６は回転ドラム２と共に回転するので、速やかに保護ドラム６から外れて落とされ、被乾燥物が遠赤外線ヒーター７の近くで過剰に加熱されたり、遠赤外線ヒーター７からの遠赤外線を遮断すると言うようなことはない。
【産業上の利用可能性】
【００１７】
本発明は洗濯物を乾燥するための洗濯乾燥機であるが、クリーニング工場における乾燥機としても使用することができ、また家庭における洗濯機に付随した乾燥機としても使用可能である。
【符号の説明】
【００１８】
２  回転ドラム
５  遠赤外線ヒーター
６  保護ドラム
７  遠赤外線ヒーター
【図１】
2011251022.tif 000003
【図２】
2011251022.tif 000004
(57)【要約】【課題】食材を買い物バッグに入れて持ち運びする際、食材の鮮度を維持するためには保冷剤を一緒に入れる必要性があった。このときむき出しの保冷剤をバッグに入れるだけでは、バッグ内部全体の保冷効果にムラがあり食材が腐らないか心配だった。  本発明は、買い物バッグ内の食材を均等に保冷する為の保冷剤収容ネットシートを提供する。【解決手段】ネットシートからなる方形状の基盤に、上面を開口したポケットを横方向に複数配列して設け、ポケットの下方には横長帯状の段差部を設ける。ポケットと段差部を交互に設ける。各ポケットの開口部に留め具を設け、基盤の上縁と下縁に紐を設け、ポケットの下方に設けられた段差部に紐通し穴を複数設けた保冷剤収容ネットシート。【選択図】図１
2011251090.tif 000002
【特許請求の範囲】
【請求項１】
ネットシートからなる方形状の基盤に、上面を開口したポケットを横方向に複数配列して設け、各ポケットの開口部に留め具を設け、基盤の周囲の縁に対向するように紐を設け、紐に対応した位置に紐通し穴を複数設けた保冷剤収容ネットシート。
【発明の詳細な説明】
【技術分野】
【０００１】  本発明は、使い捨て式に利用されている小型のパック式保冷剤を有効利用するものであり、ネット状シートの全面に配設した複数のポケットに小型のパック式の保冷剤を収容し、そのネットシートを買い物バッグの内側に敷設することにより、買い物バッグに入れた食材を保冷しながら鮮度を維持するための保冷剤収容ネットシートに関するものである。
【背景技術】
【０００２】  従来、特に夏場に食材を買い物バッグに入れて、保冷された状態で持ち運びする為には、買い物バッグの中にむき出しの小型のパック式保冷剤を複数個入れて使用していた。
なお、円筒状断熱材の中に、円筒形で保冷剤の底の付いた容器状保冷剤を一体にしたワイン及び、ワイングラス専用クーラーを、断熱材のトートバッグ内に安全を考慮した上で固定して設け、ワイングッズ一式も収納出来る保冷用トートバッグは知られている。（特許文献１参照）
【先行技術文献】
【０００３】
【特許文献１】    特開２００３−１５３７２１号公報
【発明の概要】
【発明が解決しようとする課題】
【０００４】  そのために次のような問題点があった。
（イ）小型のパック式保冷剤が買い物バッグの内部でバラバラに動き、バッグの底部分のみに沈んで集合するため、バッグの内部全体の保冷効果にムラがあった。
（ロ）複数の小型のパック式保冷剤を、買い物のたびに冷凍庫から出し入れするのが面倒だった。
（ハ）持ち歩き時間が長くなる際などは、買い物バッグ内の上方に置かれている食材の鮮度がおちて腐敗する危険があった。
本発明は、以上の問題点を解決するためになされたものである。
【課題を解決するための手段】
【０００５】  ネットシートからなる方形状の基盤に、上面を開口したポケットを横方向に複数配列して設け、ポケットの下方には横長帯状の段差部を設け、ポケットと段差部を交互に設ける。各ポケットの開口部に留め具を設ける。基盤の上縁と下縁に紐を設け、ポケットの下方に設けられた段差部に紐通し穴を複数設ける。
以上の構成よりなる保冷剤収容ネットシート。
【発明の効果】
【０００６】  本発明の保冷剤収容ネットシートは、シート全面に保冷剤が配置されているので、本発明のシートをバックの内部に敷設することによって、バッグの内部は上部も下部も均一に保冷される。従来のように、保冷剤が溜まったバッグの底だけが保冷されて、バッグの上方に置かれている食材は保冷効果が薄いということがない。
【図面の簡単な説明】
【０００７】
【図１】本発明の平面図
【図２】本発明の要部拡大平面図
【図３】本発明のＡ−Ａ断面図
【図４】本発明のＡ−Ａ要部拡大断面図
【図５】本発明の使用状態を示す斜視図
【図６】本発明の使用状態を示す正面図
【発明を実施するための形態】
【０００８】  以下、本発明の実施の形態を説明する。
（イ）縦長方形状のネットシートからなる基盤（１）に、横方向に並列して上部を開口したポケット（２）を設け、ポケット（２）の下方には横長帯状の段差部を設ける。
（ロ）横方向に並列したポケット（２）と段差部（３）を水平に交互に設ける。
（ハ）各ポケット（２）の上部を開口したポケット開口部（７）の縁（９）の中央には、留め具となる面ファスナー雄片（４ａ）と、これに対応する面ファスナー雌片（４ｂ）を基盤（１）に設ける。
（ニ）各ポケット（２）に、方形状で小型の保冷剤（８）を収容自在とする。
（ホ）基盤（１）の上縁及び下縁の左右の二箇所に、二股からなる紐（５）を設ける。
（ヘ）各ポケットの段差部（３）には、紐（５）に対応する位置に紐通し穴（６）を左右二箇所ずつ設ける。
本発明は以上のような構造である。
本発明を使用するときは、各ポケット（２）にあらかじめ保冷剤（８）を収容し、面ファスナー雄片（４ａ）と面ファスナー雌片（４ｂ）で固定した状態の基盤（１）ごと冷凍したものを使用する。買い物バッグ（１２）に入れる際には、図５に示したようにバッグ（１２）の取っ手（１４）に、本発明の上縁と下縁に設けた二本の紐（５）をそれぞれ取っ手（１４）の根元に結んで結合（１３）させ、バッグの底面には本発明の底面部（１１）を沿わせ、バッグの側壁には本発明の側壁部（１０）を沿わせることで内部を囲み、バッグ（１２）内の食材を均等に保冷することができる。また、図６に示したように段差部（３）にある紐通し穴（６）に紐（５）を通し、ボトル等のネック部分と胴体部分を紐（５）で結ぶことで、ボトル等の保冷に使用することが出来る。
【符号の説明】
【０００９】（１）基盤（２）ポケット（３）段差部（４ａ）面ファスナー雄片
（４ｂ）面ファスナー雌片（５）紐（６）紐通し穴（７）ポケット開口部
（８）保冷剤（９）縁（１０）側壁部（１１）底面部
（１２）買い物バッグ（１３）結合部（１４）取っ手
【図１】
2011251090.tif 000003
【図２】
2011251090.tif 000004
【図３】
2011251090.tif 000005
【図４】
2011251090.tif 000006
【図５】
2011251090.tif 000007
【図６】
2011251090.tif 000008
(57)【要約】【課題】硬度１０〜２００の化粧料製剤の、保存安定化を図った容器に収容された化粧料を提供する。【解決手段】  有効成分を含有する硬度１０〜２００の化粧料製剤を、最内層が着色剤を含まない低密度ポリエチレンであるチューブ容器に収容させてなることを特徴とする化粧料。有効成分としては、ビタミン類又はそれらの誘導体、生薬エキス、グリチルレチン酸又はその誘導体、イソプロピルメチルフェノール、ヒノキチオール、ピロクトンオラミン、ハイドロキノン誘導体、ポリフェノール誘導体から選ばれた１種又は２種以上である。【選択図】          なし【特許請求の範囲】
【請求項１】
有効成分を含有する硬度１０〜２００の化粧料製剤を、最内層が着色剤を含まない低密度ポリエチレンであるチューブ容器に収容させてなることを特徴とする化粧料。
【請求項２】
有効成分が、ビタミン類又はそれらの誘導体、生薬エキス、グリチルレチン酸又はその誘導体、イソプロピルメチルフェノール、ヒノキチオール、ピロクトンオラミン、ハイドロキノン誘導体、ポリフェノール誘導体から選ばれた１種又は２種以上であることを特徴とする請求項１記載の化粧料。
【発明の詳細な説明】
【技術分野】
【０００１】
本発明は、有効成分を含有する硬度１０〜２００の化粧料製剤を、最内層が着色剤を含まない低密度ポリエチレンであるチューブ容器に収容したことを特徴とする、保存性に優れた化粧料に関する。
【背景技術】
【０００２】
従来、流動性の化粧料を収容する容器としてチューブ容器が知られている。このチューブ容器は、筒状の容器本体が可撓性シートで形成され、この容器本体内に流動性の化粧料が充填されている。そして、チューブ容器の容器本体に適度の外力を加えて押し潰すことで取出口から流動性の化粧料を取り出していた。チューブの素材としては、プラスチック（樹脂）やアルミニウムの積層、樹脂と樹脂と樹脂の積層、アルミニウムなどがあった。（非特許文献１参照）
【０００３】
このチューブ容器の中には、高級感を備えて商品性や意匠性を高めるために、容器本体の素材に着色剤を配合したものがあった。
【先行技術文献】
【非特許文献】
【０００４】
【非特許文献１】日本化粧品技術者会編「化粧品辞典」  ２７５頁、２００３年１２月１５日、丸善株式会社発行
【発明の開示】
【発明が解決しようとする課題】
【０００５】
しかしながら、着色料を配合したチューブ容器に化粧料を充填すると、有効成分の量が経時で減少するという問題点があった。そこで、本発明は、硬度１０〜２００の化粧料製剤の、保存安定化を図った容器に収容された化粧料に関する。
【課題を解決するための手段】
【０００６】
本願発明は、有効成分を含有する硬度１０〜２００の化粧料製剤を、最内層が着色剤を含まない低密度ポリエチレンであるチューブ容器に収容したことを特徴とする、保存性に優れた化粧料を提供する。
【０００７】
さらに、前記有効成分が、ビタミン類又はそれらの誘導体、生薬エキス、グリチルレチン酸又はその誘導体、イソプロピルメチルフェノール、ヒノキチオール、ピロクトンオラミン、ハイドロキノン誘導体、ポリフェノール誘導体から選ばれた１種又は２種以上であることを特徴とする化粧料を提供する。
【発明の効果】
【０００８】
本発明の化粧料は、有効成分を含有する硬度１０〜２００の化粧料製剤を、最内層が着色剤を含まない低密度ポリエチレンであるチューブ容器に収容することにより、高温下での保存安定性に優れるという効果を発揮する。
【発明を実施するための形態】
【０００９】
以下本発明を実施するための形態を説明する。
【００１０】
本発明の化粧料は、有効成分を含有する硬度１０〜２００の化粧料製剤を、最内層が着色剤を含まない低密度ポリエチレンであるチューブ容器に収容するものである。
【００１１】
本発明の化粧料における硬度とは、２５℃で、ＲＨＥＯ  ＭＥＴＥＲ（レオテック社製）を用いて測定するものである。標準針入プランジャーはステンレス鋼からなる直径２０ｍｍのもので、レオテック社から市販されている。硬度は、化粧料の中心表面から１０ｍｍまでの距離を、標準プランジャーを６ｃｍ／分で動かすときに必要な最大の力を示す。
【００１２】
本発明の化粧料製剤において、硬度が１０〜２００の範囲外の場合、チューブ容器に収納した際の使用ができなくなる場合がある。
【００１３】
本発明の化粧料製剤に配合する有効成分としては、ビタミン類又はそれらの誘導体、生薬エキス、グリチルレチン酸又はその誘導体、イソプロピルメチルフェノール、ヒノキチオール、ピロクトンオラミン、ハイドロキノン誘導体、ポリフェノール誘導体から選ばれた１種又は２種以上であることを特徴とすることが好ましく、最も好ましくはピロクトンオラミンである。
【００１４】
本発明の化粧料には、本発明の効果を損なわない範囲において、通常化粧料に配合しうる成分を任意に配合することができる。
【００１５】
本発明の化粧料は機能的には、抗フケ剤、育毛剤、トリートメント剤、美白剤、シミ、シワ防止剤等である。
【００１６】
チューブの容器に用いられる素材としては、低密度ポリエチレン、エバール、アルミニウムなどがあり、これらを積層させた容器も多く見られる。本発明においては単層若しくは積層どちらの素材を用いてもよいが、化粧料と直接接触する最内層が、着色剤を含まない低密度ポリエチレンを用いる。着色剤を含むポリエチレンを最内層に用いると、化粧料に配合した有効成分量の減少が認められる。
【００１７】
チューブ容器のデザインとして、低密度ポリエチレンに着色剤を用いることが一般に行われている。ここで、低密度ポリエチレンに用いられる着色剤としては、酸化チタン、酸化鉄、群青、紺青、有機色素等が挙げられるが、特に酸化チタンを配合した場合、有効成分の減少が顕著に認められる。
【実施例】
【００１８】
以下に本発明を実施例を用いて説明するが、本発明の技術的範囲はこれによってなんら限定されるものではない。
【００１９】
表１に示した処方にて、毛髪トリートメント製剤を定法により調製し、各種チューブに充填し、５０℃３０日間の保存安定性試験に供した。保存安定性の評価は、ピロクトンオラミンの定量により行い、調製時のピロクトンオラミン量を１００％とした場合の定量値が上下３％以内のものを○、３％を超えるものを×として評価した。
【００２０】
【表１】
2011251923.tif 000002
【００２１】
【表２】
2011251923.tif 000003
【００２２】
表２に示したとおり、最内層に着色剤を含有する低密度ポリエチレンを用いた比較例の場合、有効成分であるピロクトンオラミン量の減少が認められた。これに対し、最内層に着色剤を含有しない低密度ポリエチレンを用いた実施例の場合、有効成分であるピロクトンオラミンの量は維持されていた。
(57)【要約】【課題】冷蔵保管する葉物より、日持ちする根菜類は、保管するために紙に包んであると蒸れたり、一目で何か分からずまた買ってきてしまうことがある。保管する品を重ねないようにすると、広がり場所をとる。  本発明は、根菜類などを保管するための野菜保管用庫を提供する。【解決手段】四隅にポールを立て、三面をネットで囲い、中に籠を四段位設け、一面を品物の出し入れのためのネットの簾にし、一番下には簾が下がるように、ポールを付け、一番上は周囲をボードにし、保冷剤  蓄冷材を上から入れられる所を設け、その上の蓋は内側をホワイトボードにし、品名と日付を書けるようにする。【選択図】図１
2011251107.tif 000002
【特許請求の範囲】
【請求項１】
四隅にポールを立て、三面をネットで囲み中に籠を四段位設け、一面を品物の出し入れのためのネットの簾とし、簾の下にはポールを付け、その重みで下に下がるようにし、一番上に保冷剤  蓄冷材を入れられる所を作り、品名と日付を書けるように、ホワイトボードにした野菜保管用庫。
【発明の詳細な説明】
【技術分野】
【０００１】  本発明は、冷蔵しなくてもよい野菜の保存ができる野菜保管用庫に関するものである。
【背景技術】
【０００２】  野菜を保存する時には、冷蔵庫の野菜室に入れるか、冷蔵しない方がいい野菜は、段ボールまたは、袋  新聞紙などに包んで、保管している事が多い。
【発明の概要】
【発明が解決しようとする課題】
【０００３】  冷蔵保管する葉物より、日持ちする根菜類は、紙に包んであると蒸れたり、一目でわからず、また買って来てしまうことがある。  保管する品を重ねないようにしようとすると、広がり場所をとる。
本発明は、以上の問題点を解決するためになされたものである。
【課題を解決するための手段】
【０００４】  四隅にポールを立て、三面をネットで囲い、中に籠を四段位設け、一面を品物の出し入れのための、ネットの簾にし、一番下はポールの重みで下に下がるようにし、一番上は保冷剤  蓄冷材を上から入れられる所を作り、周囲はボードで囲み、その上の蓋は内側をホワイトボードのような素材にし、品名と日付を書けるようにしたものである。
【発明の効果】
【０００５】  温度の高い時は、保冷剤等を入れることで、温度調節が出来、ネットで出来ているので、風通しがよく蒸れない。
買い物に行く時上の蓋を開けるだけで、在庫が分かるので便利
根菜類などが、コンパクトに収まる。
日常の事なので、手間を掛けず簡単に使用できるようにする。
【図面の簡単な説明】
【０００６】
【図１】本発明の斜視図
【図２】本発明の上の蓋を開けた状態を示す斜視図
【図３】本発明の簾を開けた状態を示す斜視図
【発明を実施するための形態】
【０００７】  以下、本発明の実施の形態を説明する。
（イ）四隅にポール（１）を立て、両横背面の三面をネット（２）で囲み、中に籠（３）  を四段位設ける。
（ロ）前面は品物の出し入れのためネットの簾（４）にし、簾の下にはポール（５）を取  り付け、その重みで下に下がるようにする。
（ハ）一番上の籠（６）は周囲をボード（７）で囲みその上に蓋（８）を設ける。
（二）蓋（８）に内側はホワイトボード（９）にする。
本発明は以上のような構造である。
本発明を使用する時は、（４）を持ち上げ、野菜（主に根菜類）を中の籠（３）に入れ  、（４）を下ろす。
（９）のホワイトボードに、入れた品名と日付を書いておく。
温度の高い時は保冷剤  蓄冷材を（６）に入れる。
【符号の説明】
【０００８】（１）ポール
（２）ネット
（３）籠
（４）簾
（５）簾のポール
（６）保・蓄冷材用の籠
（７）ボード
（８）蓋
（９）ホワイトボード
【図１】
2011251107.tif 000003
【図２】
2011251107.tif 000004
【図３】
2011251107.tif 000005
(57)【要約】【課題】  針・糸を使用せず、誰にでも簡単に取り付け、取り外しが出来、脱落しないボタンを提供する。【解決手段】  脱落しないことを原点とし、図１のように▲１▼ボタン、▲２▼ロックピン、▲３▼ワッシャー、▲５▼裏ボタンによる強固な取り付け、そして取り外しが出来ることにより、この課題を解決する。【選択図】図１
2011251102.tif 000002
【特許請求の範囲】
【請求項１】
ロックピンの下部へ、ワッシャーを入れ、布地にあけた菊穴又はボタンホールに挿入し、裏面より裏ボタンをいれ、横にスライドして固定する取付方法。
【発明の詳細な説明】
【技術分野】
【０００１】  本発明は、従来のボタンの取り付けとはまったく異なり、針と糸を使用しないボタンであり、  ボタンを使用するすべての衣類に対応出来得るものである。
【背景技術】
【０００２】  糸とボタンを使用しないボタンに関しては、男子学生服の金属ボタン留め方式及び一部差込方式のものは認められますが、生地の厚さ・強度等未解決である。機械を使用して取り付けるボタンは、数多く見受けられますが、誰にでも簡単に取り付け・取り外しの出来るボタンは、本発明以外には見受けられません。
【発明の開示】
【発明が解決しようとする課題】
【０００３】  衣料の量産化により、ボタンの取り付けも機械で、簡単に短時間で処理される様になっています。手縫いの場合の様にくくりが出来ないため、洗濯の繰り返し等によってボタンの脱落が非常に多くなります。ボタンを取り付ける作業は誰にでも出来る様でいて以外に時間も手間も掛かり、ボタン脱落の為に着用出来ないという事もあります。
また、ボタンの種類（塗装・メッキ）によっては、ドライクリーニングに耐えられないものもあり、ホテル等においては、クリーニングの都度ボタンを付け直しているという話しも聞き及んでいます。
【課題を解決するための手段】
【０００４】  本発明は、脱落しないボタンの発明を原則として試作を繰り返し、強度・取り付け方法・生地の厚み等を検討し、その結果このボタンを発明しました。
図面による説明に入ります。第１図は断面図であり、▲１▼ボタン  ▲２▼ロックピン  ▲３▼ワッシャー  ▲４▼布地  ▲５▼裏ボタン  ▲６▼菊穴  ▲７▼裏ボタンカバーの名称となります。
次に構造に入ります。▲２▼ロックピンの下部へ、▲３▼ワッシャーを入れ、次に▲６▼菊穴に挿入し、菊穴の裏面より▲５▼裏ボタンを入れ、横にスライドします。
以上によりロックピンを介して▲１▼ボタンは、▲４▼布地に強固に固定されます。
尚、ロックピンの上部ボタンの部分は、種々の取り付け方法があり、一例としました。【０００５】  この発明は、その使用方法において、従来のボタンとの相違はありません。しかし、その取り付け方法においては、従来のボタンとは大きな相違があります。それは、針と糸を使用しないという点です。すなわち、このボタンのセットがあればいつでも簡単に取り付け、取り外しが出来るということです。
【発明の効果】
【０００６】  この発明によれば、このボタンのセットを持参することにより、いつでもどこでもボタンの交換が出来ます。また、上手下手の違いなく正確かつ均一に、ボタンを取り付けることが出来るようになりました。そして、普通の使用においてはほとんど脱落の心配がなくなりました。
【発明を実施するための最良の形態】
【０００７】  図１は、ロックピンを介して裏ボタン＋ワッシャーとボタンが、強固に固定されたことを示す断面図である。斜線の部分は、この発明における最も重要な部分の一つであるロックピンの断面図である。▲１▼〜▲６▼まで断面図を詳細に表しています。【０００８】  図２は、布地の厚みに対応して、裏ボタンと共に布地を確実に強固に挟み込むための部分（ワッシャー）であり、布地の厚さに対応するためのものである。
材質としては、プラスチック等、樹脂系のもので、弾力性に優れたものが考えられます。【０００９】  図３は、裏ボタンである。この部分は、ロックピンの下部を、確実に強固に留めるためのものであり、材質としては、金属・プラスチック等、樹脂系の材質が使用可能です。【００１０】  図４は、裏ボタンのカバーである。実際には、裏ボタンと一体となり、裏ボタンの一部になるものですが、製造上は、一体化出来ないものです。
【産業上の利用可能性】
【００１１】  本発明に関わるロックピン・ワッシャー・裏ボタンは、種々の材質のものを使用し、工業的量産が可能であるため、産業上の利用可能性を有しています。
【図面の簡単な説明】
【００１２】
【図１】ロックピンを介して固定される、ボタン・裏ボタン・ロックピン・ワッシャーの断面図である。
【図２】ワッシャーの平面図（表・裏）・斜視図である。
【図３】裏ボタンの平面図（表・裏）である。
【図４】裏ボタンの１部である、カバーの平面図・側面図（断面）である。
【図５】裏ボタンの斜視図である。
【図６】ロックピンの斜視図である。
【符号の説明】
【００１３】▲１▼    ボタン
▲２▼    ロックピン
▲３▼    ワッシャー
▲４▼    布地
▲５▼    裏ボタン
▲６▼    菊穴又はボタンホール
▲７▼    裏ボタンカバー
【図１】
2011251102.tif 000003
【図２】
2011251102.tif 000004
【図３】
2011251102.tif 000005
【図４】
2011251102.tif 000006
【図５】
2011251102.tif 000007
【図６】
2011251102.tif 000008
(57)【要約】【課題】  鮮魚店等から発生する魚の鱗は、廃棄物として処理されているが、これを有効利用して装飾部材等に用いられる加工品と加工方法が求められている。その場合、魚の独特の臭いや変形等の問題点を解決することが求められていた。【解決手段】魚の鱗を、特定の水洗乾燥工程、脱色・脱臭工程、水洗・乾燥工程及び選別工程を行うことで、装飾部材としても有用な魚の鱗加工品が得られた。【特許請求の範囲】
【請求項１】
魚の鱗を、水洗工程、漂白・脱臭工程、水洗・乾燥工程及び選別工程を行う魚の鱗の加工方法。
【請求項２】
魚の鱗を、水洗工程、漂白・脱臭工程、水洗・乾燥工程及び選別工程を行う魚の鱗の加工方法によって製造される鱗加工品。
【請求項３】
請求項１で示される魚の鱗の加工方法で得られた鱗加工品を用いて製造された装飾品。
【発明の詳細な説明】
【技術分野】
【０００１】    本発明は、魚の鱗を特定の操作をおこなう加工方法およびそれによって得られる装飾品部材等に用いられる加工品に関する。
【背景技術】
【０００２】    魚の鱗は、従来廃棄物として処理されることが主であったが、その構成成分がヒドロキシアパタイトやコラーゲンを含むことから成分を抽出して健康食品等として用いられてきた。
また、鱗を染色したものを縫付け材に縫いつけることで装飾片にしたものが提案されている（特許文献１）。
【先行技術文献】
【特許文献】
【０００３】
【特許文献１】実用新案登録第３１５７５２８号公報
【発明の概要】
【発明が解決しようとする課題】
【０００４】  従来、魚の鱗を装飾品部材として用いようとした場合、天然素材であることから臭気、腐敗、変形や着色等を行ってもその後に変色する等の問題があった。そのため装飾品部材として余り利用されなかった。本発明者は、前述の問題点に鑑み臭気や使用後の変形や変色のない品質の安定した鱗素材の開発を長期間検討し本発明に到達した。
【課題を解決するための手段】
【０００５】  即ち、本発明は天然の鱗素材を次の工程により加工処理を行う。すなわち、薬剤処理工程、水洗、乾燥工程、選別及び成型工程を行う。これにより独特の魚臭がなく、塗装や染色が行いやすくかつ使用中での脱色、変色等がなく、変形もない魚の鱗の加工方法及び加工品の開発を完成させた。【０００６】  魚の鱗は、鮮魚店等で廃棄物として排出される鱗を用いるが、割れたものや極端に変形しているものを除く。鱗は、一定の大きさ、厚みと強度のあるものであれば用いられるが、容易に入手できる天然の鯛や鯉のものが好適に用いられる。【０００７】  選別した鱗を水洗及び乾燥を繰り返した後、漂白剤や殺菌剤と界面活性剤とを混合希釈したものに浸漬する。浸漬の条件は常温またはぬるま湯で通常２４時間程度である。【０００８】  漂白剤・殺菌剤としては、市販の塩素系や酸系が用いられるが、食品等の保存殺菌に用いられる次亜塩素酸系のものが好適である。界面活性剤としては、市販の食器洗い用洗浄剤が用いられるが陰イオン系又は中性のものが好適に用いられる。【０００９】  次いで、水洗及び乾燥を数度繰り返し、前述の工程中に破損したものや変形したものを除き、はさみ等を用いて形を整えて鱗加工品となる。これは、装飾用の素材等として用いられる。【００１０】  前記鱗加工品は、そのままで用いることや染色及び塗装等の着色を行うことで適宜装飾片等として用いられる。【００１１】  さらに、鱗加工品は、装飾片として用いる際には樹脂素材のものに比べて、独特の光沢と弾力性等の天然素材の特徴を備えたものである。
【発明の効果】
【００１２】  本発明の加工処理を行うことで、魚の廃棄物である鱗を利用した魚臭がなく腐敗や変形、及び着色後の変色のない装飾品素材等の鱗加工品の製造ができる。これらの鱗加工品は、装飾素材として、ブローチ、ペンダント、簪やその他広範囲の装飾用途として応用範囲が広いものである。
【発明を実施するための形態】
【００１３】
【実施例】
【００１４】  以下実施例に於いて本発明をさらに詳しく例示する。
鮮魚店で得られた天然の鯛の鱗を、容器内で水洗し自然乾燥させた。目視で、破損や極端な変形及び直径８ｍｍ以下のものを除いた。次いで、水道水で適宜かき混ぜながら１時間洗浄し、水を切り常温で２４時間乾燥させた。この工程を２度繰り返した。
容器の中に、次亜塩素酸ソーダの漂白殺菌剤を２０ｍｌと食器洗い洗剤（ポリオキシエチレンアルキルエーテルの硫酸エステルナトリウム塩）を２０ｍｌと炭酸ナトリウム２０ｇを蓋のある容器中で水２リットルに溶解させ、そこに先の工程で得られた鱗片を約１０００枚浸漬した。そして常温で６時間毎にかき混ぜ２４時間静置した。
次に、取り出し水道水で漂白剤の臭気がなくなるまで数度洗い、乾燥させた。鱗臭がないことを確認して直射日光でさらに２４時間乾燥させた。
その後、この処理工程で破損や変形したものを数十枚除き鱗加工品を得た。